(57)【要約】【課題】電源コードの巻取りの利便性を向上しつつ、装置が複雑化することを抑制すると共に、予期しない電源コードの巻取りにより電気ケトルが不意な動きをすることを抑制できる電気ケトル用の給電台の実現が望まれる。【解決手段】本体部２と、給電部４と、電源コード５と、本体部２に対して、回転軸心Ｃ周りに回転し、電源コード５を巻き取る巻取軸部６を有する回転部７と、ユーザが回転部７を手動で回転操作するハンドル部８と、を備えた電気ケトル１０用の給電台１。【選択図】図２
2016087101.tif 000002
【特許請求の範囲】
【請求項１】
載置された電気ケトルが有する加熱手段に電力を供給する電気ケトル用の給電台であって、
本体部と、
前記加熱手段側に接続される給電端子を有し、前記加熱手段に電力を供給する給電部と、
電源に接続される電源プラグを一端に有し、他端が前記給電部に接続されている電源コードと、
前記本体部に対して、上下方向に延びる回転軸心周りに回転し、前記電源コードを巻き取る巻取軸部を有する回転部と、
ユーザが前記回転部を手動で回転操作するハンドル部と、
を備えた電気ケトル用の給電台。
【請求項２】
前記ハンドル部は、前記回転部又は前記本体部の上面に対して上方に突出する突出部を有し、
前記給電端子は、前記突出部に設けられている請求項１に記載の電気ケトル用の給電台。
【請求項３】
前記突出部は、上側に開口する筒状に形成され、
前記給電端子は、前記突出部の内側に配置されている請求項２に記載の電気ケトル用の給電台。
【請求項４】
前記突出部は、前記回転軸心上に配置されている請求項２又は３に記載の電気ケトル用の給電台。
【請求項５】
前記突出部の外面に、ローレットが設けられている請求項２から４のいずれか一項に記載の電気ケトル用の給電台。
【請求項６】
前記本体部の上面が、前記電気ケトルが載置される載置面とされる請求項１から５のいずれか一項に記載の電気ケトル用の給電台。
【請求項７】
前記本体部と前記回転部との間の隙間を形成する、前記本体部の部分及び前記回転部の部分の一方又は双方に、突出する又は窪むと共に前記回転軸心の周方向に延びる防水凹凸部が設けられている請求項１から６のいずれか一項に記載の電気ケトル用の給電台。
【請求項８】
前記回転部は、前記回転軸心を中心とする円板状に形成され、前記給電台の上面を構成する円板部を有し、
前記円板部の下側に、前記給電端子及び前記電源コードに接続される電気部品が配置されている請求項１から７のいずれか一項に記載の電気ケトル用の給電台。
【請求項９】
前記巻取軸部は、前記給電台の最下面よりも、少なくとも１ｍｍ以上上方に配置されている請求項１から８のいずれか一項に記載の電気ケトル用の給電台。
【請求項１０】
請求項１から９のいずれか一項に記載された給電台と、
前記電気ケトルと、を備えた電気ケトルセット。
【発明の詳細な説明】
【技術分野】
【０００１】
本発明は、載置された電気ケトルが有する加熱手段に電力を供給する電気ケトル用の給電台、及び給電台と電気ケトルを備えた電気ケトルセットに関する。
【背景技術】
【０００２】
上記のような給電台として、例えば、下記の特許文献１及び特許文献２に記載された給電台が既に知られている。特許文献１の技術では、特許文献１の図８に示されているように、給電台に固定された電源コードの巻取軸が、給電台の下側に露出しており、例えば、ユーザが片方の手で給電台を上下引っくり返した状態で把持し、もう片方の手で電源コードを給電台の下面側から腕をぐるぐる回して巻取軸に巻くように構成されている。特許文献２の技術では、巻取軸の回転を停止するストッパーが、押しボタンが押されることにより解除されると、ゼンマイによる付勢力により、電源コードが自動的に巻取軸に巻き取られるように構成されている。
【先行技術文献】
【特許文献】
【０００３】
【特許文献１】特開２００９−１２５３５６号公報
【特許文献２】特開２０１１−９２２９５号公報
【発明の概要】
【発明が解決しようとする課題】
【０００４】
しかしながら、特許文献１の技術では、ユーザが給電台を引っくり返して持ち、腕をぐるぐる回して電源コードを巻く必要があり、ユーザの利便性が悪いものであった。特許文献２の技術では、自動で電源コードを巻き取ることができる利便性があるものの、ストッパーやゼンマイ機構などを設けることにより装置が複雑になり、製造コストや重量が増加する等の問題があった。また、特許文献２の技術では、予期せず押しボタンが押されると、ゼンマイの付勢力により電源コードが自動的に巻き取られ、給電台が移動する等して、給電台に載置された電気ケトルが不意な動きをするおそれがある。電気ケトルには加熱された水が溜められているため、電気ケトルの不意な動きをできるだけ抑制することが望ましい。
【０００５】
そこで、電源コードの巻取りの利便性を向上しつつ、装置が複雑化することを抑制すると共に、予期しない電源コードの巻取りにより電気ケトルが不意な動きをすることを抑制できる電気ケトル用の給電台の実現が望まれる。
【課題を解決するための手段】
【０００６】
本発明に係る、載置された電気ケトルが有する加熱手段に電力を供給する電気ケトル用の給電台の特徴構成は、本体部と、前記加熱手段側に接続される給電端子を有し、前記加熱手段に電力を供給する給電部と、電源に接続される電源プラグを一端に有し、他端が前記給電部に接続されている電源コードと、前記本体部に対して、上下方向に延びる回転軸心周りに回転し、前記電源コードを巻き取る巻取軸部を有する回転部と、ユーザが前記回転部を手動で回転操作するハンドル部と、を備えた点にある。この特徴構成によれば、ハンドル部により手動で回転部を回転操作するだけで、電源コードを巻取軸部に巻き取ることができ、電源コードの巻取りの利便性を向上させることができる。ユーザの操作力を利用して巻取軸部を回転させるので、巻取軸部を回転させる駆動機構などを備える必要がなく、装置が複雑化することを抑制できる。また、ユーザがハンドル部により手動で回転部を回転操作しない限りは、電源コードが回転部に巻き取られることはなく、予期しない電源コードの巻取りにより電気ケトルが不意な動きをすることを抑制できる。
【０００７】
本発明に係る電気ケトル用の給電台の更なる特徴構成は、前記ハンドル部は、前記回転部又は前記本体部の上面に対して上方に突出する突出部を有し、前記給電端子は、前記突出部に設けられている点にある。この構成によれば、ユーザが上側から突出部を持って、回転部を回転させることができ、回転操作を行い易くなる。上方に突出する突出部に給電端子が設けられているので、給電端子を電気ケトル側に接続し易くなる。
【０００８】
本発明に係る電気ケトル用の給電台の更なる特徴構成は、前記突出部は、上側に開口する筒状に形成され、前記給電端子は、前記突出部の内側に配置されている点にある。この構成によれば、突出部の外周面を、ユーザが操作する操作面とするとともに、給電端子を保護する保護面とすることができる。
【０００９】
本発明に係る電気ケトル用の給電台の更なる特徴構成は、前記突出部は、前記回転軸心上に配置されている点にある。この構成によれば、突出部を手でひねって回転させることで、回転部を回転させることでき、腕の動きを少なくできる。
【００１０】
本発明に係る電気ケトル用の給電台の更なる特徴構成は、前記突出部の外面に、ローレットが設けられている点にある。この構成によれば、突出部のグリップ力を向上させ、操作性を向上させることができる。
【００１１】
本発明に係る電気ケトル用の給電台の更なる特徴構成は、本体部の上面が、前記電気ケトルが載置される載置面とされる点にある。この構成によれば、電気ケトルが給電台に載置されていることにより、この状態で、電源コードが、ユーザにより引っ張られ、回転部が巻取り方向とは反対方向に回転したとしても、電気ケトルが回転することがない。よって、電気ケトルが不意な動きをすることを抑制できる。
【００１２】
本発明に係る電気ケトル用の給電台の更なる特徴構成は、前記本体部と前記回転部との間の隙間を形成する、前記本体部の部分及び前記回転部の部分の一方又は双方に、突出する又は窪むと共に前記回転軸心の周方向に延びる防水凹凸部が設けられている点にある。この構成によれば、防水凹凸部により、本体部と回転部との隙間を流れようとする水を堰き止めて、給電台の内部に水が侵入することを抑制できる。
【００１３】
本発明に係る電気ケトル用の給電台の更なる特徴構成は、前記回転部は、前記回転軸心を中心とする円板状に形成され、前記給電台の上面を構成する円板部を有し、前記円板部の下側に、前記給電端子及び前記電源コードに接続される電気部品が配置されている点にある。この構成によれば、電気部品の上側が円板部により覆われているので、電気部品側に水が浸入することを抑制できる。
【００１４】
本発明に係る電気ケトル用の給電台の更なる特徴構成は、前記巻取軸部は、前記給電台の最下面よりも、少なくとも１ｍｍ以上、上方に配置されている点にある。この構成によれば、電源コードが水に浸かることを抑制できる。
【００１５】
本発明に係る電気ケトルセットの特徴構成は、上述した給電台と、前記電気ケトルと、を備えた点にある。この構成によれば、給電台及び電気ケトルを備えた電気ケトルセットにも、上述した給電台に係る作用効果を得ることができる。
【図面の簡単な説明】
【００１６】
【図１】電気ケトルが載置された状態の給電台の側面図
【図２】給電台及び電気ケトルの縦断面図
【図３】給電台を上方から下方に見た平面図
【図４】別実施形態に係る給電台の模式的な縦断面図
【発明を実施するための形態】
【００１７】
本発明に係る電気ケトル１０用の給電台１（以下単に給電台１と称す）及び電気ケトル１０と給電台１を備えた電気ケトルセット６１の実施形態について、図面を参照して説明する。図１は、電気ケトル１０が載置された状態の給電台１について一部が断面図化された側面図であり、図２は、給電台１及び電気ケトル１０を、回転軸心Ｃを通り上下方向Ｈに平行な平面で切断した縦断面図であり、図３は、給電台１を上方から下方に見た平面図である。なお、本願において、「上」、「下」、又は「水平」は、給電台１が水平な平面上に置かれた場合における鉛直方向の「上」、「下」、又は「水平」を意味し、「上下方向Ｈ」は、鉛直方向に平行になるものとする。また、「周方向」、「径方向」及び「軸方向」は、回転軸心Ｃについての方向であるものとする。
【００１８】
給電台１は、載置された電気ケトル１０が有する加熱手段１１に電力を供給するための載置台である。給電台１は、本体部２、給電部４、電源コード５、回転部７、及びハンドル部８を備えている。給電部４は、加熱手段１１側に接続される給電端子３を有し、加熱手段１１に電力を供給する。電源コード５は、電源に接続される電源プラグ２０を一端に有し、他端が給電部４に接続されているコード部材である。回転部７は、本体部２に対して、上下方向Ｈに延びる回転軸心Ｃ周りに回転し、電源コード５を巻き取る巻取軸部６を有する。ハンドル部８は、ユーザが回転部７を手動で回転操作する操作部である。以下、本実施形態に係る給電台１について、詳細に説明する。
【００１９】
図２に示すように、回転部７は、本体部２に対して、上下方向Ｈに延びる回転軸心Ｃ周りに回転し、電源コード５を巻き取る巻取軸部６を有している。本実施形態では、回転軸心Ｃは上下方向Ｈに平行にされている。巻取軸部６は、回転軸心Ｃを中心とする円筒状に形成された巻取筒状部２５を有し、電源コード５は、巻取筒状部２５の外周面に巻かれる。巻取軸部６は、巻取筒状部２５の下側端部から径方向外側に延びる円板状の下側鍔部２６と、巻取筒状部２５の上側端部（本例では、周方向の三箇所）から径方向外側に延びる円板状の上側鍔部２７と、を有している。電源コード５は、下側鍔部２６と上側鍔部２７との間に案内され、巻取筒状部２５の外周面に積層的に巻かれる。
【００２０】
ユーザがハンドル部８により回転部７を巻き取り方向に手動回転させると、電源コード５が巻取筒状部２５に巻き取られる。一方、ユーザが後述する電源コード５の電源プラグ２０を給電台１から離す方向に引っ張ると、回転部７が巻き取り方向とは反対方向に回転し、電源コード５が巻取筒状部２５から巻き取り解除される。或いは、ユーザがハンドル部８により回転部７を巻き取り方向とは反対方向に手動回転させると、電源コード５が巻取筒状部２５から巻き取り解除される。
【００２１】
電源コード５は、電源に接続される電源プラグ２０を一端に有し（図１参照）、他端が給電部４に接続されているコード部材である。電源コード５には、平行な２本の電線がビニルで被覆されたビニル平型コードが用いられている。電源プラグ２０は、家庭用のコンセントであり、各国又は各地域の規格に適合したものが用いられる。電源コード５及び電源プラグ２０には、アース付きのものが用いられてもよい。電源コード５は、２本の電線が上下方向Ｈに並び、断面が上下方向Ｈに長くなる縦向きで、巻取軸部６に巻き取られる。巻取軸部６の上下方向Ｈの幅は、電源コードの幅に適合した長さにされている。後述する本体部２の周壁部２９に設けられたコード導入口５２には、縦向きの電源コード５の断面に適合する、縦長のスリットが設けられてもよい。
【００２２】
回転部７は、巻取軸部６から径方向内側に延びる円板状の支持壁４８を有している。支持壁４８は、巻取軸部６を径方向内側から支持すると共に、給電台１の下面を構成している。回転部７は、巻取軸部６の径方向内側において、支持壁４８から上側及び周方向に延在する円筒状の収容室壁４７を有している。収容室壁４７は、後述する円板部２３の下面に当接するまで上側に延びており、収容室壁４７の径方向内側と外側とを隔てている。回転部７は、収容室壁４７の径方向内側において、支持壁４８から上側及び周方向に延在する円筒状の給電部支持壁４９を有している。給電部支持壁４９は、後述する給電端子３を下側から支持している。収容室壁４７と給電部支持壁４９と円板部２３と支持壁４８とに囲まれた円筒状の空間が電気部品収容空間３７とされており、給電端子３及び電源コード５に接続される電気部品２４が配置される。
【００２３】
図３の平面図において、円板部２３及びカバー部材３２を切り欠いた部分に示すように、巻取軸部６及び収容室壁４７は、周方向の一部が切り欠かれた切欠き部５１を有している。電源コード５は、巻取軸部６の径方向外側から切欠き部５１を通って収容室壁４７の径方向内側の電気部品収容空間３７に導かれ、電気部品収容空間３７に配置された電気部品２４に接続されている。給電部支持壁４９は、周方向の一部が切り欠かれた切欠き部（不図示）を有している。給電端子３の接続コードは、給電部支持壁４９の径方向内側の空間から給電部支持壁４９の切欠き部を通って電気部品収容空間３７に導かれ、当該空間に配置された電気部品２４に接続されている。
【００２４】
図２に示すように、本体部２は、下端に接地部２８を有しており、接地部２８が水平な台等の上に置かれる。本体部２は、回転部７を回転可能に支持する支持部材である。本体部２は、巻取軸部６の周りを覆う筒状に形成されている。本例では、本体部２は、巻取軸部６の径方向外側を覆う周壁部２９と、周壁部２９の上部から径方向内側に延びて、巻取軸部６の上側を覆う上壁部３０と、を備えている。上壁部３０は、給電台１の径方向外側の上面を構成している。周壁部２９の下端に、下側に突出するゴム部材５４が、周方向の複数個所に取り付けられており、ゴム部材５４が接地部２８とされている。周壁部２９には、周方向の一箇所において、径方向に貫通するコード導入口５２を有している。電源コード５は、周壁部２９の外側からコード導入口５２を通って周壁部２９の径方向内側の空間に導かれ、当該空間に配置された巻取軸部６に巻き取られる。本体部２は、周壁部２９及び上壁部３０の骨組みとなる骨組み部材３１と、骨組み部材３１の上方及び径方向外側を覆い、周壁部２９及び上壁部３０を構成するカバー部材３２と、から構成されている。本体部２は、回転軸心Ｃを中心とする円環状に形成されている。本体部２の径方向内側に回転部７が配置されている。
【００２５】
上壁部３０（カバー部材３２）の径方向内側の端部は、上面が径方向外側の部分より下側に窪んだ円環状の嵌合凹部３３とされている。嵌合凹部３３には、後述する回転部７の円板部２３が上側から嵌合され、円板部２３を下側から回転可能に支持する。一方、上壁部３０（カバー部材３２）における、嵌合凹部３３よりも径方向外側の部分により、給電台１の上面が構成される。
【００２６】
回転部７は、回転軸心Ｃを中心とする円板状に形成された円板部２３を有している。円板部２３は、給電台１の上面（本例では、給電台１の径方向内側の上面）を構成している。本実施形態では、後述するように、円板部２３の上面に対して上方に突出する突出部９が設けられている。詳細は後述するが、この突出部９は、ハンドル部８を構成し、回転部７を回転させる操作部とされる。円板部２３は、回転軸心Ｃを中心とし、上下方向Ｈに貫通する円筒状の貫通孔を有している。突出部９は、円板部２３の径方向内側の端部から上側に延びる、回転軸心Ｃを中心とした円柱状に形成されている。突出部９と円板部２３とは一体形成された部材とされている。また、突出部９は、円板部２３の径方向内側の端部から下側にも延びる円筒状部を有している。このように、円板部２３は、突出部９から径方向外側に延びる円環板状に形成されている。円板部２３は、電気部品収容空間３７を形成する部分における周方向の複数個所（本例では３箇所）において、支持壁４８まで下側に延びる円筒状の連結部４６を有しており、連結部４６が締結部材（本例ではネジ）により支持壁４８に固定されて、円板部２３、支持壁４８及び巻取軸部６が一体回転するように連結されている。
【００２７】
円板部２３の径方向外側の端部は、本体部２（上壁部３０）の嵌合凹部３３に上側から嵌合される円環状の嵌合部３４とされている。円板部２３の嵌合部３４の下面は、本体部２の嵌合凹部３３の上面により、下側から回転可能に支持されており、嵌合凹部３３の上面と嵌合部３４の下面とが回転摺動する。摺動部を構成する円板部２３及びカバー部材３２には、ポリアセタール（ＰＯＭ）等の滑りがよい部材が用いられる。
【００２８】
回転部材である回転部７と、回転部７を支持する本体部２との間には隙間が生じる。当該隙間を通じて、給電台１に載置された電気ケトル１０等から流れてきた水が給電台１の内部に侵入するおそれがある。そこで、本体部２と回転部７との間の隙間を形成する、本体部２の部分及び回転部７の部分の一方又は双方に、突出する又は窪むと共に回転軸心Ｃの周方向に延びる防水凹凸部２２が設けられる。防水凹凸部２２により、本体部２と回転部７との隙間を流れようとする水を堰き止めて、給電台１の内部に水が侵入することを抑制できる。
【００２９】
本実施形態では、本体部２（上壁部３０）の嵌合凹部３３と円板部２３の嵌合部３４との嵌合箇所に隙間が生じており、嵌合凹部３３及び嵌合部３４の双方に防水凹凸部２２が設けられている。本体部２と回転部７との間の隙間は、円板部２３の嵌合部３４の下面と本体部２の嵌合凹部３３の上面との間の隙間となっており、径方向及び周方向に延びる円環状になっている。円板部２３の嵌合部３４の下面には、下側に突出すると共に周方向に延びる円筒状の防水リブ３５が形成されている。本体部２の嵌合凹部３３の上面には、防水リブ３５が嵌合する、下側に窪むと共に周方向に延びる円筒状の防水溝３６が形成されている。なお、防水溝３６の径方向内側の壁を形成する嵌合凹部３３の部分は、上側に突出する共に周方向に延びる円筒状の防水リブ４５と捉えることもできる。このような防水凹凸部２２により、本体部２と回転部７との間の隙間が、本体部２の内部に向かうに従って、上下方向Ｈに繰り返し折れ曲がる矩形波状に形成されており、防水性能を向上させることができる。
【００３０】
円板部２３の下側に、給電端子３及び電源コード５に接続される電気部品２４が配置される。本実施形態では、円板部２３の下側には、上記したように、電気部品収容空間３７が形成されており、電気部品収容空間３７に電気部品２４が収容される。電気部品２４には、電源コード５や給電部４等に接続される接続端子や、接続端子の間に設けられるヒューズ等が含まれる。電気部品２４には、供給電力を制御する制御回路などが含まれていてもよい。電気部品２４の上側が円板部２３により覆われているので、電気部品２４側に水が浸入することを抑制できる。また、電気部品収容空間３７は、上記したように、円板部２３だけでなく、収容室壁４７と給電部支持壁４９と支持壁４８とに囲まれた収容室とされているため、電気部品２４の防水性を向上させることができる。また、円板部２３は、収容室壁４７（電気部品収容空間３７）よりも径方向外側の位置まで延びており、円板部２３と本体部２との隙間は、収容室壁４７よりも径方向外側に位置している。よって、円板部２３と本体部２との隙間から侵入した水を、収容室壁４７で堰き止めて、電気部品収容空間３７内に侵入することを防ぐことができる。よって、防水凹凸部２２と収容室壁４７とにより、２重に電気部品２４側への水の浸入を防ぐことができる。また、本体部２と回転部７との間の隙間から侵入した水は、巻取軸部６側に流れ、巻取軸部６と周壁部２９との間の、下側に開口する開口から給電台１の下側に排出することができる。
【００３１】
巻取軸部６は、給電台１の最下面よりも、少なくとも所定の間隔ΔＤ（本例では、１ｍｍ以上）上方に配置されている。本実施形態では、下側鍔部２６の下面は、接地部２８の下面よりも、間隔ΔＤだけ上方に配置されている。このように巻取軸部６と接地面との間に間隔が設けられれば、接地面が水に濡れているとしても、巻取軸部６に巻き取られた電源コード５を水に浸かり難くできる。また、本体部２と回転部７との間の隙間から、巻取軸部６側に侵入した水を、下側に排出させ易くなる。一方、間隔ΔＤを広く取り過ぎると、給電台１の高さが高くなるおそれがある。そのため、水の浸入を防げる最低限の間隔ΔＤ（本例では、１ｍｍ以上、３ｍｍ以下）に設定されており、給電台１の高さが高くなることを抑制しつつ、電源コード５が水に浸かることを抑制できる。本実施形態では、回転部７全体が、給電台１の最下面よりも、少なくとも間隔ΔＤだけ上方に配置されており、電源コード５や電気部品２４を水に浸かり難くできる。
【００３２】
ハンドル部８は、ユーザが回転部７を手動で回転操作する操作部である。ここで、回転部７を手動で回転操作するとは、バネなどの付勢力が用いられず、ユーザの操作力により回転部７を回転させることをいう。本実施形態では、ハンドル部８は、回転部７又は本体部２の上面に対して上方に突出する突出部９を有している。給電端子３は、突出部９に設けられている。本例では、突出部９は、回転部７（円板部２３）の上面に対して上方に突出している。この構成によれば、ユーザが上側から突出部９を持って、回転部７を回転させることができ、回転操作を行い易くなる。上方に突出する突出部９に給電端子３が設けられているので、給電端子３を電気ケトル１０側に接続し易い構造とすることができる。よって、上方に突出した突出部９により、ユーザが回転操作を行い易くなると共に、電気ケトル１０側に接続し易くなる。突出部９は、上側に開口する筒状（本例では円筒状）に形成されており、給電端子３は、突出部９の内側に配置されている。この構成によれば、突出部９の外周面を、ユーザが操作する操作面とするとともに、給電端子３を保護する保護面とすることができる。
【００３３】
給電端子３は、その中心部に配置された中心端子台３８を備えている。中心端子台３８は、上下方向Ｈに延び、上側に開口する円筒状に形成されている。中心端子台３８の内周面側には第一端子３９が備えられ、中心端子台３８の外周面側には第二端子４０が備えられている。中心端子台３８は、円筒状部の下端部を支持する円板状の支持部４３を備えており、支持部４３が突出部９の下端部と、給電部支持壁４９の上端部と間に挟まれて固定されており、中心端子台３８は回転部７と一体回転する。
【００３４】
給電端子３は、中心端子台３８の径方向外側を囲むように形成された外周端子台４２を備えている。外周端子台４２は、上下方向Ｈに延び、上側に開口する円筒状に形成されている。外周端子台４２の内周面側には、第三端子４１が備えられている。外周端子台４２の外周面は、突出部９の内周面に嵌合されており、突出部９と一体回転するように固定されている。第一端子３９、第二端子４０が電力供給用の通電端子とされ、第三端子４１は、アース用の端子とされている。第一端子３９及び第二端子４０が、電源コード５に接続されている（不図示）。
【００３５】
中心端子台３８と外周端子台４２との間の円筒状の空間には、円筒状の端子開口蓋４４が設けられている。端子開口蓋４４は、弾性部材（不図示）により上側に付勢されており、電気ケトル１０が給電台１に載置されていない状態では、端子開口蓋４４は配置空間の上側に移動し、配置空間の上側の開口を塞いで、水の浸入を防ぐように構成されている。電気ケトル１０が給電台１に載置されると、電気ケトル１０の受電端子１２（筒状部１６）により端子開口蓋４４が下側に押し下げられる。
【００３６】
電気ケトル１０の底部には、突出部９及び給電端子３が嵌め込まれる、底面から上側に窪んだ円柱状の受電凹部１７が設けられており、受電凹部１７に受電端子１２が設けられている。受電端子１２は、受電凹部１７の中心部に配置された第一受電端子１３を備えている。第一受電端子１３は、受電凹部１７内を下側に延びる棒状に形成されている。第一受電端子１３が、給電端子３の中心端子台３８の中心孔に挿入され、第一端子３９に接続される。受電端子１２は、第一受電端子１３の径方向外側を囲むように形成された円筒状の筒状部１６を備えている。筒状部１６の内周面側には、第二受電端子１４が備えられている。第二受電端子１４が、中心端子台３８の外周面側の第二端子４０に接続される。筒状部１６の外周面側には、第三受電端子が備えられている（不図示）。第三受電端子が、第三端子４１に接続される。
【００３７】
電気ケトル１０は、水を溜めるタンク１８、タンク１８内の水を電気ヒータにより加熱する加熱手段１１、タンク１８内の水を外部に供給するための給湯部１９（図１参照）、電気ケトル１０をユーザが持ち上げるための把持部６０（図１参照）、及び加熱手段１１への通電を制御する操作スイッチ（不図示）等を有する。給電台１の給電端子３から電気ケトル１０の受電端子１２に供給された電力は、加熱手段１１に供給される。
【００３８】
突出部９は、回転軸心Ｃ上に配置されている。この構成によれば、突出部９を手でひねって回転させることで、回転部７を回転させることでき、腕の動きを少なくできる。また、突出部９の径方向外側に配置される回転部７の各部（本例では、巻取軸部６や円板部２３）に働く慣性モーメントを利用して、「こま」のように回転部７を回転させることができる。本実施形態では、突出部９は、回転軸心Ｃを中心とした円筒状に形成されている。そのため、突出部９の外周面を手で回転させ易くなっている。また、突出部９に設けられた給電端子３も回転軸心Ｃ上に配置されている。本実施形態では、給電端子３の各部（中心端子台３８、外周端子台４２）は、回転軸心Ｃを中心とした円筒状に形成されており、突出部９と共に給電端子３が回転しても、電気ケトル１０の受電端子１２との接続が維持されるように構成されている。
【００３９】
突出部９の外面（本例では外周面）に、ローレット２１が設けられている（図１参照）。ローレット２１は、滑り止めのために、表面につけられた細かい凹凸であり、本例では、ダイヤ目やクロス目など２方向に交差する溝が設けられた綾目ローレットとされている。
【００４０】
本体部２の上面が、電気ケトル１０が載置される載置面５０とされる。この構成によれば、電気ケトル１０が給電台１に載置されていることにより、この状態で、電源コード５が、ユーザにより引っ張られ、回転部７が巻取り方向とは反対方向に回転したとしても、電気ケトル１０が回転することがない。このため、電気ケトル１０が不意な動きをすることを抑制できる。そのため、電気ケトル１０が給電台１に載置されている状態で、ユーザが電源コード５を安全に延ばすことが可能である。本実施形態では、上壁部３０（カバー部材３２）における嵌合凹部３３よりも径方向外側の部分の上面が、載置面５０とされている。給電端子３と受電端子１２とが接続されると共に、載置面５０に電気ケトル１０の脚部１５が載せられる。回転部７の円板部２３の上面には、電気ケトル１０の下面が接触しないように構成されている。円板部２３は、電気ケトル１０の下端部から下側に突出した脚部１５よりも径方向内側に配置されている。
【００４１】
〔別実施形態〕本発明は、前述した実施の形態に限定されるわけでなく、その他種々の変更が可能である。変更の例として、以下に本発明の別実施形態について説明する。なお、以下の各実施形態の構成は、それぞれ単独で適用されるものに限られず、矛盾が生じない限り、他の実施形態の構成と組み合わせて適用することも可能である。
（１）上記の実施形態においては、突出部９は、回転部７の上面に対して上方に突出している場合を例に説明した。しかし、突出部９は、回転部７又は本体部２の上面に対して上方に突出していればよく、図４に示すように、本体部２の上面に対して上方に突出していてもよい。また、上記の実施形態においては、回転部７は、給電台１の上面を構成する円板部２３を有している場合を例に説明した。しかし、回転部７は、図４に示すように、給電台１の上面を構成する円板部を有しないように構成されてもよい。図４に示す例では、本体部２の上壁部３０が突出部９の外周面まで径方向内側に延出し、本体部２の上壁部３０が、給電台１の上面を構成するように構成されている。また、本体部の上壁部３０の下側に、回転部７の円板部５３が配置され、上壁部３０と円板部５３との隙間に、防水凹凸部２２が設けられてもよい。
【００４２】
（２）上記の実施形態においては、給電端子３が、突出部９に設けられている場合を例に説明した。しかし、給電端子３は、突出部９以外の部分、例えば、給電台１の径方向外側端部（例えば本体部２）に、上方に突出するように設けられ、受電端子１２が電気ケトル１０の下端部における径方向外側の部分に設けられてもよい。
【００４３】
（３）上記の実施形態においては、突出部９が、回転軸心Ｃ上に配置され、円筒状に形成されている場合を例に説明した。しかし、突出部９は、回転軸心Ｃの径方向外側に配置されてもよく、また、円筒状以外の形状（例えば、矩形筒状）に形成されてもよい。
【００４４】
（４）上記の実施形態においては、ハンドル部８は、回転部７又は本体部２の上面に対して上方に突出する突出部９を有している場合を例に説明した。しかし、ハンドル部８は、突出部９を有していなくてもよく、ユーザが回転部７を手動で回転操作することができれば、どのような形状であってもよい。例えば、ハンドル部８は、回転部７（例えば円板部２３）の上面に対して下側に窪む凹部とされたり、回転部７（例えば円板部２３）の上面自体とされたりしてもよい。或いは、ハンドル部８は、給電端子３を設けた突出部とは別に設けられた、円板部２３の上面から上方に突出した第二の突出部とされてもよい。また、ハンドル部８とされる突出部は、使用されないときは、横倒しされて回転部７（例えば円板部２３）の上面に設けられた凹部に収納される等、回転部７に出し入れ可能に構成されてもよい。
【００４５】
（５）上記の実施形態においては、突出部９の外面に設けられたローレット２１が、２方向に交差する溝が設けられた綾目ローレットとされている場合を例に説明した。しかし、ローレット２１は、滑り止めのために、表面につけられた細かい凹凸であれば、どのような形状のものでもよく、例えば、縦方向の溝が設けられた平目ローレットや、斜め方向の溝が設けられた斜めローレットなどとされてもよい。
【００４６】
（６）上記の実施形態においては、突出部９の外面に、ローレット２１が設けられている場合を例に説明した。しかし、突出部９の外面に、ローレット２１が設けられていなくてもよい。
【００４７】
（７）上記の実施形態においては、本体部２と回転部７との間の隙間に防水凹凸部２２が設けられている場合を例に説明した。しかし、本体部２と回転部７との間の隙間に、防水凹凸部２２が設けられていなくてもよい。
【産業上の利用可能性】
【００４８】
本発明は、載置された電気ケトルが有する加熱手段に電力を供給する電気ケトル用の給電台及び給電台と電気ケトルを備えた電気ケトルセットに好適に利用することができる。
【符号の説明】
【００４９】
１：電気ケトル用の給電台（給電台）、２：本体部、３：給電端子、４：給電部、５：電源コード、６：巻取軸部、７：回転部、８：ハンドル部、９：突出部、１０：電気ケトル、１１：加熱手段、２０：電源プラグ、２１：ローレット、２２：防水凹凸部、２３：円板部、２４：電気部品、５０：載置面、６１：電気ケトルセット、Ｃ：回転軸心、Ｈ：上下方向
【図１】
2016087101.tif 000003
【図２】
2016087101.tif 000004
【図３】
2016087101.tif 000005
【図４】
2016087101.tif 000006